(57)【要約】【課題】直流遮断器に対して継続的な直流回復電圧を印加することのできる直流遮断器の試験装置及びその試験方法を提供する。【解決手段】直流電流を遮断するための直流遮断器１の試験装置において、直流遮断器１に対して、直流電流を供給する直流電流供給電源回路Ａと、直流遮断器１に対して、故障電流を供給する故障電流供給電源回路Ｂと、直流遮断器１に対して、回復電圧を印加するための回復電圧用電源回路Ｃと、を備える。    【選択図】図１
2016213123.tif 000002
【特許請求の範囲】
【請求項１】
直流電流を遮断するための直流遮断器の試験装置において、
前記直流遮断器に対して、直流電流を供給する直流電流供給部と、
前記直流遮断器に対して、故障電流を供給する故障電流供給部と、
前記直流遮断器に対して、回復電圧を印加するための電圧源部と、
を備えたことを特徴とする直流遮断器の試験装置。
【請求項２】
前記電圧源部は、前記直流電流供給部及び前記故障電流供給部より高電圧を前記直流遮断器に印加するものであり、
前記直流電流供給部、前記故障電流供給部、及び前記電圧源部には、前記直流遮断器との接続と遮断を切り替える遮断器がそれぞれ設けられ、
前記直流電流供給部、前記故障電流供給部、及び前記電圧源部の遮断器を動作させる指令を出力する制御部を備え、
前記制御部は、前記直流電流供給部及び前記故障電流供給部の遮断器を遮断させ、当該遮断以降に前記電圧源部の遮断器を接続させること、
を特徴とする請求項１に記載の直流遮断器の試験装置。
【請求項３】
前記直流電流供給部は、
交流電流を発生させる第１の短絡発電部と、
前記１の短絡発電部で発生した交流電流を、直流電流に変換する交流／直流変換部と、
を備えること、
を特徴とする請求項１又は２に記載の直流遮断器の試験装置。
【請求項４】
前記故障電流供給部は、
交流電流を発生させる第２の短絡発電部と、
電流の遮断及び投入を行う投入開閉部と、
を備えることを特徴とする請求項１〜３の何れかに記載の直流遮断器の試験装置。
【請求項５】
前記電圧源部は、過渡振動回路を備え、
前記過渡振動回路は、
回復電圧を印加する電圧源となる第１のコンデンサと、
前記第１のコンデンサとは別の第２のコンデンサと、
抵抗と、
リアクトルと、
を備えることを特徴する請求項１〜４の何れかに記載の直流遮断器の試験装置。
【請求項６】
前記制御部は、
前記直流電流供給部及び前記故障電流供給部の遮断器の遮断と、前記電圧源部の遮断器の接続を、各遮断器に同時に行わせること、
を特徴する請求項２に記載の直流遮断器の試験装置。
【請求項７】
前記直流電流供給部及び前記故障電流供給部には、各部の前記遮断器に生じるサージを吸収するサージ吸収部が設けられていること、
を特徴とする請求項２又は６に記載の直流遮断器の試験装置。
【請求項８】
直流電流を遮断するための直流遮断器の試験方法であって、
前記直流遮断器に対して、直流電流を供給する直流電流供給処理と、
前記直流遮断器に対して、故障電流を供給する故障電流供給処理と、
前記直流遮断器に対して、回復電圧を印加する回復電圧印加処理と、
を備えること、
を特徴とする直流遮断器の試験方法。
【請求項９】
前記直流電流を遮断する直流電流遮断処理と、
前記故障電流を遮断する故障電流遮断処理と、
を備え、
前記直流電流供給処理及び前記故障電流供給処理により、前記直流電流及び前記故障電流を供給し、
その後、前記直流電流遮断処理と前記故障電流遮断処理と前記回復電圧印加処理を同時に行うこと、
を特徴とする請求項８に記載の直流遮断器の試験方法。
【発明の詳細な説明】
【技術分野】
【０００１】
本発明の実施形態は、直流遮断器の遮断性能を検証するための試験装置及びその試験方法に関する。
【背景技術】
【０００２】
交流を直流に変換する変換器はサイリスタ等を用いた他励式と呼ばれる変換器が用いられ、直流送電が行われてきた。近年、ＰＷＭインバータ、コンバータ等を用いた自励式変換器の研究が行われている。
【０００３】
自励式変換器は定電圧制御されるため、直流系統で故障が発生すると、交流系統における故障のように、故障電流が発生及び増加する。直流系統を多端子構成にすると、交流系統で用いられている遮断器と同様に直流電流を遮断する遮断器が要求される。直流遮断器の開発にあたり、遮断性能を検証するためには実際の直流系統で想定される故障条件を模擬した条件で遮断試験を実施しなければならない。そのためには、直流系統での故障電流相当の電流を供給できる試験装置が必要となる。
【０００４】
上記自励式変換器を用いた直流送電における故障電流は、電源から故障点までの系統のインダクタンスと抵抗によって増加の時定数が決まる。非特許文献１では、故障電流を供給するために、電源回路にキャパシタを挿入し、遮断器と直列にリアクトルを配しており、直流電流と故障電流は共通の電源回路から供給される。故障電流を遮断後、直流遮断器の遮断部には所定の回復電圧が印加されなければならない。
【０００５】
非特許文献１では、電源回路は共通であるため、直流電流を供給するために必要な整流器は回復電圧と同等の電圧で使用可能な高圧の整流器が必要となる。しかし、高圧の整流器を用いると試験装置の大型化、設備導入に高額な設備投資が必要といった課題がある。
【先行技術文献】
【非特許文献】
【０００６】
【非特許文献１】JURGEN HAFNER, BJORN JACOBSON ” Proactive Hybrid HVDCBreaker − A key innovation forreliable HVDC grids” CIGRE International Symposium in Bologna, 2011
【特許文献】
【０００７】
【特許文献１】特開２０１５−０５６３８９号公報
【発明の概要】
【発明が解決しようとする課題】
【０００８】
そこで、直流電流供給回路と、故障電流供給回路とを別の系統として、これらの回路を直流遮断器に並列に接続する構成が採用されている（例えば、特許文献１参照。）。このような構成においては、直流遮断器に対して、直流電流供給用電源から定常状態の直流電流を供給しつつ、故障電流供給用電源から系統事故相当の故障電流を供給し、これらを直流遮断器にて遮断させる。
【０００９】
この時、遮断直後の瞬間的な過渡回復電圧を直流遮断器に供給することは可能である。しかし、継続的な直流回復電圧が不足する場合があった。
【００１０】
本発明の実施形態に係る直流遮断器の試験装置及びその試験方法は、上記のような課題を解決するためになされたものであり、直流遮断器に対して継続的な直流回復電圧を印加することのできる直流遮断器の試験装置及びその試験方法を提供することを目的とする。
【課題を解決するための手段】
【００１１】
上記の目的を達成するために、本実施形態の直流遮断器の試験装置は、直流電流を遮断するための直流遮断器の試験装置において、前記直流遮断器に対して、直流電流を供給する直流電流供給部と、前記直流遮断器に対して、故障電流を供給する故障電流供給部と、前記直流遮断器に対して、回復電圧を印加するための電圧源部と、を備えたことを特徴とする。
【図面の簡単な説明】
【００１２】
【図１】第１の実施形態に係る直流遮断器の試験装置の構成を示す回路図である。
【図２】遮断試験時の電流経路を示す図である。
【図３】遮断試験開始から直流電流及び故障電流を遮断過程における電流波形を示すグラフである。
【図４】図３の時刻Ｂ〜Ｄを含む時間のスケールを拡大した電流波形を示すグラフである。
【図５】各回路に設けられた機器の、各時刻における接続（閉路）又は遮断（開路）の状態を示す図である。
【図６】サージアブゾーバに印加される電圧波形を示すグラフである。
【発明を実施するための形態】
【００１３】
［１．第１の実施形態］
［１−１．全体構成］
以下では、図１〜図６を参照しつつ、本実施形態に係る直流遮断器の試験装置について説明する。図１は、本実施形態に係る直流遮断器の試験装置の構成を示す回路図である。
【００１４】
直流遮断器の試験装置は、試験対象となる直流遮断器１の直流電流の遮断性能を試験する装置である。直流系統の故障発生を模擬するため、当該試験装置は、後述する３つの電源回路とこれらの回路を制御する制御部（不図示）とを備える。
【００１５】
直流遮断器１は、直流遮断器１内を流れる直流電流を２つの異なる方式で遮断する遮断器である。直流遮断器１は、遮断部１０１と、エネルギー吸収部１０２とを備える。遮断部１０１とエネルギー吸収部１０２とは並列に設けられる。
【００１６】
遮断器１０１は、回路を流れる電流の遮断／投入を行うスイッチである。遮断部１０１としては、例えば機械的に遮断／投入を行うメカニカルスイッチや半導体を利用することができる。
【００１７】
エネルギー吸収部１０２は、所謂サージアブゾーバ（以下、サージアブゾーバ１０２ともいう）である。サージアブゾーバ１０２は、サージアブゾーバ１０２に印加される過渡的な高電圧のエネルギーの吸収を行う。サージアブゾーバ１０２は、遮断部１０１遮断後の電圧の大きさを制限する。
【００１８】
直流遮断器１には、３つの異なる電源回路が並列に接続される。すなわち、本実施形態に係る試験装置は、直流電流供給電源回路Ａと、故障電流供給電源回路Ｂと、回復電圧印加用電源回路Ｃとが並列接続されて構成されている。各回路Ａ〜Ｃは不図示の制御部とそれぞれ接続され、接続又は遮断のタイミングが制御部により制御される。
【００１９】
［１−２．詳細構成］
（直流電流供給電源回路）
直流電流供給電源回路Ａは、直流遮断器１に対して直流電流を供給する。直流電流供給電源回路Ａは、短絡発電機２、リアクトル１２、整流器４、リアクトル７、及び抵抗９を含み構成される。
【００２０】
短絡発電機２は、短絡電流を発生させる発電機である。短絡発電機２から発生される短絡電流は交流の電流である。短絡発電機２で発生した短絡電流は、リアクトル１２を介して整流器４に対して出力される。
【００２１】
整流器４は、短絡発電機２で発生した交流電流を直流電流に整流する整流器であり、交流／直流変換部として機能する。整流器４で変換された直流電流は、定常直流電流であり、リアクトル７及び抵抗９を介して、直流遮断器１に対して供給される。
【００２２】
短絡発電機２と整流器４の間には、投入開閉器１０、保護遮断器１１、及び変圧器２６が設けられている。投入開閉器１０は、短絡発電機２を試験回路に接続するための開閉器であり、直流遮断器１に対する短絡発電機２の接続と遮断を切り替える。保護遮断器１１は、直流電流供給電源回路Ａを流れる交流の短絡電流の遮断を行う遮断器である。保護遮断器１１は、この交流の短絡電流の電流零点で遮断を行う。変圧器２６は、短絡発電機２で発生した交流電圧を変圧して整流器４に出力する。
【００２３】
さらに直流電流供給電源回路Ａには、遮断器２３と、サージ吸収部４１とが設けられている。遮断器２３は、整流器４を介して短絡発電機２と接続されており、試験対象である直流遮断器１と短絡発電機２との接続と遮断を切り替える。遮断器２３は、直流電流供給電源回路Ａにおいて、各機器のうち最も直流遮断器１側に設けられている。遮断器２３が投入状態にあるときは、直流遮断器１に短絡発電機２から電流を供給可能であり、遮断器２３が遮断状態にあるときは、直流電流供給電源回路Ａを直流遮断器１から切り離されており、短絡発電機２から電流は直流遮断器１に供給されない。
【００２４】
サージ吸収部４１は、遮断器２３と接続されており、遮断器２３で遮断された際に発生するサージを吸収する。サージ吸収部４１は、抵抗１５とコンデンサ１８が接続されてなり、コンデンサ１８が抵抗１５を介してサージを吸収し、遮断器２３による遮断をしやすくする。
【００２５】
（故障電流供給電源回路）
故障電流供給電源回路Ｂは、直流遮断器１に対して故障電流を供給する。この故障電流は、直流電流供給電源回路Ａより直流遮断器１に対して供給される直流電流より大きな電流の交流電流である。故障電流供給電源回路Ｂは、短絡発電機３、リアクトル１３を含み構成される。
【００２６】
短絡発電機３は、短絡電流を発生させる発電機である。短絡発電機３は、短絡発電機２と比較して高圧の電源回路を備え、短絡発電機２で発生した短絡電流より大きな故障電流を発せさせる。短絡発電機２から発生された短絡電流は、リアクトル１３を介して直流遮断器１に対して供給される。
【００２７】
故障電流供給電源回路Ｂには、保護遮断器６、投入開閉器５、変圧器２７、リアクトル８、サージ吸収部４２、及び遮断器２４が設けられている。投入開閉器５は、短絡発電機３を試験回路に接続するための開閉器であり、直流遮断器１に対する短絡発電機３の接続と遮断を切り替える。保護遮断器６は、故障電流供給電源回路Ｂを流れる交流の短絡電流の遮断を行う遮断器である。保護遮断器６は、この交流の短絡電流の電流零点で遮断を行う。変圧器２７は、短絡発電機３で発生した交流電圧を変圧して、リアクトル８を介して直流遮断器１に故障電流を出力する。
【００２８】
遮断器２４は、短絡発電機３と接続されており、試験対象である直流遮断器１と短絡発電機３との接続と遮断を切り替える。遮断器２４は、故障電流供給電源回路Ｂにおいて、各機器のうち最も直流遮断器１側に設けられている。遮断器２４が投入状態にあるときは、直流遮断器１に短絡発電機３から電流を供給可能であり、遮断器２４が遮断状態にあるときは、直流遮断器１に短絡発電機３から電流は供給されない。
【００２９】
サージ吸収部４２は、遮断器２４と接続されており、遮断器２４で遮断された際に発生するサージを吸収する。サージ吸収部４２は、抵抗１６とコンデンサ１９が接続されてなり、コンデンサ１９が抵抗１６を介してサージを吸収し、遮断器２４による遮断をしやすくする。
【００３０】
（回復電圧印加用電源回路）
回復電圧印加用電源回路Ｃは、直流遮断器１に対して回復電圧を印加する電圧源部である。回復電圧印加用電源回路Ｃは、コンデンサ２１、スイッチ２２、リアクトル１４、抵抗１７、コンデンサ２０、及び遮断器２５を含み構成される。
【００３１】
コンデンサ２１は、回路Ｃの電圧源となる直流コンデンサであり、短絡発電機２、３の電圧より大きな電圧を出力する。コンデンサ２１は、スイッチ２２及び遮断器２５と直列に接続されており、スイッチ２２及び遮断器２５が投入状態である場合に、直流遮断器１に対して回復電圧を印加する。
【００３２】
スイッチ２２は、コンデンサ２１からの電圧印加のオンとオフを切り替える機器である。遮断器２５は、回路Ｃと試験対象である直流遮断器１との接続と遮断を切り替える機器である。遮断器２５は、回復電圧印加用電源回路Ｃにおいて、各機器のうち最も直流遮断器１側に設けられている。
【００３３】
回路Ｃは、コンデンサ２１を直流電圧源として、過渡振動回路（ＬＣＲ回路）を備える。すなわち、コンデンサ２１に対して、リアクトル１４、抵抗１７及びコンデンサ２１とは別に設けられたコンデンサ２０が直列に接続されており、過渡振動回路を構成する。この過渡振動回路は、過渡振動を発生させて直流遮断器１に印加する電圧の立ち上がりを調整する。
【００３４】
（制御部）
制御部は、各回路Ａ〜Ｃと接続されており、各回路Ａ〜Ｃの直流遮断器１に対する接続と遮断のタイミングや、供給する直流電流、故障電流、印加する回復電圧のタイミングを制御する。
【００３５】
より詳細には、制御部は、遮断部１０１、投入開閉器５，１０、保護遮断器６，１１、スイッチ２２、遮断器２３〜２５と接続されている。例えば、制御部は、シーケンス管理するためのプログラムが記憶された記録媒体を有するコンピュータであり、当該プログラムを実行することで、後述の図５に示すタイミングで開路又は閉路となるように、スイッチ２２、遮断器２３〜２５、遮断部１０１、投入開閉器５，１０に対して、所定のタイミングで接続又は遮断の指令を出力する。制御部からの指令により、直流電流供給電源回路Ａ及び故障電流供給電源回路Ｂに設けられた遮断器２３，２４による遮断と、回復電圧印加用電源回路Ｃの遮断器２５による接続とを例えば同時に行う。但し、遮断器２３，２４による遮断と遮断器２５による接続は必ずしも同時でなくても良いが、遮断器２５による接続は遮断器２３，２４による遮断以降とする。
【００３６】
［１−３．作用］
本実施形態の直流遮断器１の試験装置の動作を、図２〜図６を用いて詳細に説明する。図２は、遮断試験時の電流経路を示す図である。なお、図２には試験装置の各構成は簡略している。図２に示すように、直流遮断器１の試験は、直流遮断器１に対して、回路Ａ、Ｂからの直流電流２８と故障電流２９とを供給し、その後、回路Ａ、Ｂを直流遮断器１から遮断するとともに、回路Ｃを直流遮断器１に接続して回復電圧を印加することで実施する。
【００３７】
図３は、回路Ａからの通電開始から、直流電流２８及び故障電流２９が供給され、重畳された電流を遮断する過程における電流波形を示している。図４は、図３の時刻Ｂ〜Ｄを含む時間のスケールを拡大した図である。直流電流２８は、回路Ａより時刻Ａから供給され、直流遮断器１の遮断部１０１を流れる。故障電流２９は、回路Ｂより時刻Ｂから供給され、直流電流２８と重畳されて重畳電流３０となり、直流遮断器１の遮断部１０１を流れる。また、時刻Ｃにて直流遮断器１の遮断部１０１の遮断後には、サージアブゾーバ１０２に、サージアブソーバ電流３１が流れる。
【００３８】
直流遮断器１の試験装置による試験実施過程について説明する。図５は、各回路Ａ〜Ｃに設けられた機器の、各時刻における接続（閉路）又は遮断（開路）の状態を示す図である。
【００３９】
試験開始時は、図５に示すように、直流遮断器１の遮断部１０１、保護遮断器６、１１、遮断器２３，２４は閉路状態、投入開閉器５，１０及びスイッチ２２、遮断器２５は開路状態、短絡発電機２，３は予め所定の電圧での励磁状態にある。
【００４０】
図３に示すように、時刻Ａにおいて投入開閉器１０を閉路とし、短絡発電機２から供給された交流電流はリアクトル１２によりその電流の大きさを調整し変圧器２６によって変圧され、整流器４により直流電流２８に変換される。この直流電流２８は、直流遮断器１の遮断部１０１に供給される。直流電流２８は、図３に示すように、整流器４から直流遮断器１までに配されているリアクトル７、抵抗９、遮断器２３、接続母線のインダクタンス及び浮遊容量によって決まる時定数で増加し、時刻Ｂにおいてほぼ定常状態となっている。この時刻Ｂにおける直流電流２８は直流遮断器１の定格電流相当となる。
【００４１】
時刻Ｂにおいて投入開閉器５を投入すると、短絡発電機３から故障電流２９が直流遮断器１の遮断部１０１に供給される。故障電流２９の大きさは、短絡発電機３と変圧器２７とリアクトル８、１３により決まり、直流遮断器１に定格遮断電流相当を模擬した大きさである。遮断部１０１には、直流電流２８に故障電流２９が重畳された重畳電流３０が流れる。
【００４２】
その後、図３に示す時刻Ｃで遮断部１０１、遮断器２３、２４を開路し、スイッチ２２及び遮断器２５を閉路する。遮断器２３、２４を開路する際には電流裁断現象によりサージが生じる場合があるが、発生したサージはサージ吸収部４１，４２で吸収されるので、遮断器２３，２４による回路Ａ、Ｂの切り離しを瞬間的に行うことができる。このように遮断器２３、２４が開路にされると、試験対象である直流遮断器１から回路Ａ及び回路Ｂが同時に切り離される。
【００４３】
一方、スイッチ２２及び遮断器２５を閉路すると、直流遮断器１に回復電圧が印加される。すなわち、サージアブゾーバ１０２に回復電圧が印加される。この回復電圧は、遮断部１０１の開路状態の端子間に印加される直流電圧であり、その大きさは直流遮断器１の定格波高値相当である。
【００４４】
ここで、遮断器２３，２４の開路（遮断）以降にスイッチ、遮断器２５による閉路（接続）を行う。遮断器２３，２４による開路の前に、遮断器２５により閉路とすると、回路Ａ，Ｂが直流遮断器１に接続された状態であるので、回路Ｃから回路Ａ，Ｂより高い回復電圧を印加しようとしても、回路Ａ，Ｂの方に印加されて直流遮断器１に印加されない可能性があるが、遮断器２３，２４による開路以降に回路Ｃを直流遮断器１に接続するため、回路Ａ，Ｂより高い電圧を印加することができる。
【００４５】
遮断器２３，２４の開路と、スイッチ２２、遮断器２５による閉路を行うタイミングは必ずしも同時でなくとも良いが、遮断器２３，２４の開路と、スイッチ２２、遮断器２５による閉路を同時に行うことで、例えば直流遮断器１が機械的遮断器である場合に当該直流遮断器１に生じたプラズマが消滅する前に回復電圧を印加できるので試験の信頼性を高めることができる。換言すれば、同時に行うことで、より確実にプラズマが発生している間に回復電圧を印加することができるので、遮断性能試験の信頼性が高まる。
【００４６】
図６は、サージアブゾーバ１０２に印加される電圧波形を示す。図６を参照すると、回路Ｃが接続された瞬間である時刻Ｃから回復電圧３２が印加されていることが分かる。コンデンサ２０、２１、リアクトル１４、抵抗１７によって過渡振動回路を構成しており、回復電圧３２の周波数は、コンデンサ２０、２１、リアクトル１４、抵抗１７によって決まる。コンデンサ２１は、コンデンサ２０からの電力により充電され、このコンデンサ２０と、抵抗１７と、リアクトル１４とによって過渡振動を引き起こす。この過渡振動により、時刻Ｃから時刻Ｄにかけて回復電圧がオーバーシュートする。時刻Ｄ以降においては回復電圧３２は一定になり、継続的に印加される。ここにいう「継続的に印加」とは、試験対象である直流遮断器１の遮断性能を試験するのに十分な時間回復電圧が印加されることをいう。
【００４７】
回復電圧３２が印加されることにより、サージアブゾーバ１０２には、回路Ｃの電圧源であるコンデンサ２１から供給されるサージアブゾーバ電流３１が流れる。この電流３１は、サージアブゾーバ１０２で大きさが制限される。
【００４８】
以上のように、直流系統の故障発生時の電流を、直流電流を供給する回路Ａと、故障電流のみを供給する回路Ｂと、電流遮断後の回復電圧を印加する回路Ｃとの３系統に分けて供給することで、電流遮断直後の回復電圧を継続的に供給することが可能となり、直流系統での故障発生時の直流遮断器１の遮断性能を検証することができる。
【００４９】
［１−４．効果］
（１）本実施形態の直流遮断器の試験装置は、直流電流を遮断するための直流遮断器１の試験装置において、直流遮断器１に対して、直流電流を供給する直流電流供給電源回路Ａと、直流遮断器１に対して、故障電流を供給する故障電流供給電源回路Ｂと、直流遮断器１に対して、回復電圧を印加するための回復電圧用電源回路Ｃと、を備えるようにした。
【００５０】
これにより、電流遮断直後の回復電圧を継続的に供給することが可能となり、直流系統での故障発生時の直流遮断器１の遮断性能を試験することができる。
【００５１】
（２）回復電圧印加用電源回路Ｃは、直流電流供給電源回路Ａ及び故障電流供給電源回路Ｂより高電圧を直流遮断器１に印加するものであり、直流電流供給電源回路Ａ、故障電流供給電源回路Ｂ、及び回復電圧印加用電源回路Ｃには、直流遮断器１との接続と遮断を切り替える遮断器２３、２４、２５をそれぞれ設け、直流電流供給電源回路Ａ、故障電流供給電源回路Ｂ、及び回復電圧印加用電源回路Ｃの遮断器２３〜２５を動作させる指令を出力する制御部を備え、当該制御部は、直流電流供給電源回路Ａ及び故障電流供給電源回路Ｂの遮断器２３、２４を遮断させ、当該遮断以降に回復電圧印加用電源回路Ｃの遮断器２５を接続させるようにした。
【００５２】
これにより、直流電流供給電源回路Ａ及び故障電流供給電源回路Ｂを直流遮断器１から切り離して、これらの回路Ａ，Ｂより高い電圧を直流遮断器１に印加することができる。また、回路Ｃもなく、回路Ａ，Ｂを遮断する遮断器もない従来の直流遮断器の試験装置では、直流遮断器１の定格次第では１台の短絡発電機の容量では供給しきれない場合もあるが、本実施形態では、回路Ｃを別途設け、回路Ｃから回路Ａ，Ｂより高い電圧を供給するため、定格の大きな直流遮断器１であっても試験可能となる。
【００５３】
（３）直流電流供給電源回路Ａは、交流電流を発生させる短絡発電機２と、短絡発電機２で発生した交流電流を、直流電流に変換する整流器４と、を備えるようにした。これにより、直流遮断器１に直流遮断器１の定格電流相当の直流電流を供給することができる。
【００５４】
（４）故障電流供給電源回路Ｂは、交流電流を発生させる短絡発電機３と、電流の遮断及び投入を行う投入開閉器５と、を備えるようにした。これにより、交流電流の波高値に到達するまでの交流電流を供給できるので、直流遮断器１に定格遮断電流相当を模擬した交流電流を所定時間供給することができる。
【００５５】
（５）回復電圧印加用電源回路Ｃは、過渡振動回路を備え、当該過渡振動回路は、回復電圧を印加する電圧源となるコンデンサ２１と、コンデンサ２１とは別のコンデンサ２０と、抵抗１７と、リアクトル１４と、を備えるようにした。これにより、直流遮断器１に印加する回復電圧の立ち上がりを調整でき、所望の回復電圧を印加することができる。
【００５６】
（６）制御部は、直流電流供給電源回路Ａ及び故障電流供給電源回路Ｂの遮断器２３、２４の遮断と、回復電圧印加用電源回路Ｃの遮断部２５の接続を、各遮断器２３〜２５に同時に行わせるようにした。これにより、回路Ａ、Ｂが直流遮断器１から切り離されるのと同時に、回路Ｃが直流遮断器１に接続されるので、直流遮断器１に生じたプラズマが消滅する前に回路Ｃから回復電圧を印加することができる。従って、遮断器２３、２４による遮断と、回路Ｃからの回復電圧の印加のタイミングを揃えることができ、試験の信頼性を高めることができる。
【００５７】
（７）直流電流供給電源回路Ａ及び故障電流供給電源回路Ｂには、遮断器２３、２４に生じるサージを吸収するサージ吸収部４１，４２を設けるようにした。これにより、遮断器２３、２４を遮断する際に、これら遮断器２３，２４にサージが生じた場合、当該サージにより通電し遮断器２３、２４が遮断されないという事態を防止することができる。換言すれば、サージ吸収部４１，４２が発生したサージを吸収するので、サージが発生する場合であってもスムーズかつ同時に遮断することができる。
【００５８】
［２．その他の実施形態］
本明細書においては、本発明に係る複数の実施形態を説明したが、これらの実施形態は例として提示したものであって、発明の範囲を限定することを意図していない。以上のような実施形態は、その他の様々な形態で実施されることが可能であり、発明の範囲を逸脱しない範囲で、種々の省略や置き換え、変更を行うことができる。これらの実施形態やその変形は、発明の範囲や要旨に含まれると同様に、特許請求の範囲に記載された発明とその均等の範囲に含まれるものである。
【符号の説明】
【００５９】
１                  直流遮断器
１０１              遮断部
１０２              サージアブゾーバ
Ａ                  直流電流供給電源回路
２                  短絡発電機
４                  整流器
１０                投入開閉器
１１                保護遮断器
７，１２            リアクトル
９，１５            抵抗
１８                コンデンサ
２３                遮断器
２６                変圧器
４１                サージ吸収部
Ｂ                  故障電流供給電源回路
３                  短絡発電機
５                  投入開閉器
６                  保護遮断器
８、１３            リアクトル
１６                抵抗
１９                コンデンサ
２４                遮断器
２７                変圧器
４２                サージ吸収部
Ｃ                  回復電圧印加用電源回路
２０，２１          コンデンサ
２２                スイッチ
１４                リアクトル
１７                抵抗
２５                遮断器
【図１】
2016213123.tif 000003
【図２】
2016213123.tif 000004
【図３】
2016213123.tif 000005
【図４】
2016213123.tif 000006
【図５】
2016213123.tif 000007
【図６】
2016213123.tif 000008